【手続補正書】
【提出日】平成29年5月12日(2017.5.12)
【手続補正１】
【補正対象書類名】特許請求の範囲
【補正対象項目名】全文
【補正方法】変更
【補正の内容】
【特許請求の範囲】
【請求項１】
通信デバイスを使用して、個人が辿るパターンに基づき、前記個人の識別情報を安全に認証するための方法であって、
前記通信デバイスのユーザインターフェースによって、前記個人に対する、前記個人が辿るべき定義されたパターンを識別するステップと、
前記通信デバイスの前記ユーザインターフェースを介して、前記定義されたパターン上の最初のポイントから前記定義されたパターン上の最後のポイントへと前記個人が前記定義されたパターンを連続的に辿ることによって生成されるトレースパターンを受け取るステップと、
前記定義されたパターンを連続的に辿る時に前記個人によって生成される動作ベースの挙動データの相互関係を決定するステップと、
動作ベースの挙動データの相互関係を、前記定義されたパターンの以前のトレースを完成した時に前記個人によって生成される以前に取得された動作ベースの挙動データの相互関係と比較することによって、前記個人の前記識別情報を認証するステップとを含む方法。
【請求項２】
前記通信デバイスの前記ユーザインターフェースによって、前記個人に対する、前記個人が辿るべき前記定義されたパターンを表示するステップをさらに含む請求項1に記載の方法。
【請求項３】
前記個人が前記通信デバイスの前記ユーザインターフェースを介して辿るべき前記定義されたパターンを含んでいる認証テンプレートを用いて、前記個人に、前記個人によって実行される複数の動作を伴う入力を促すステップをさらに含む請求項1に記載の方法。
【請求項４】
前記以前に取得された動作ベースの挙動データが、前記個人に関連した動作ベースの挙動データベースに記憶される請求項1に記載の方法。
【請求項５】
前記以前に取得された動作ベースの挙動データが、以前に前記個人が辿った、以前に辿られたパターンから取得される請求項1に記載の方法。
【請求項６】
前記動作ベースの挙動データが、前記以前に取得された動作ベースの挙動データの閾値の範囲内にあるとき、前記個人の前記識別情報を認証するステップをさらに含む請求項3に記載の方法。
【請求項７】
前記動作ベースの挙動データが前記以前に取得された動作ベースの挙動データの前記閾値の範囲を越えているとき、前記個人の前記識別情報の認証を拒否するステップと、
前記動作ベースの挙動データが、前記以前に取得された動作ベースの挙動データと実質的に同一であるとき、前記個人の前記識別情報の認証を拒否するステップとをさらに含む請求項6に記載の方法。
【請求項８】
前記以前に取得された動作ベースの挙動データが、前記個人の前記識別情報の以前の認証に関連した前記動作ベースの挙動データを含む請求項6に記載の方法。
【請求項９】
前記動作ベースの挙動データが前記個人の前記識別情報の認証に関連しているとき、前記動作ベースの挙動データを、前記個人の前記識別情報の前記以前の認証に関連付けられるように前記動作ベースの挙動データのデータベースに記憶するステップをさらに含む請求項8に記載の方法。
【請求項１０】
前記認証テンプレートが、前記個人が平面上で辿るための2次元パターンを含んでいる2次元テンプレートである請求項3に記載の方法。
【請求項１１】
前記個人が前記2次元パターンを辿るために実行する前記複数の動作が、前記2次元パターンの高さおよび幅に関連した前記動作ベースの挙動データを生成する請求項10に記載の方法。
【請求項１２】
前記動作ベースの挙動データが、前記個人が前記定義されたパターンを辿るための前記複数の動作を実行するとき生成される、前記個人に関連した生体測定の特性および挙動測定のデータに関連した生体データを含む、請求項3に記載の方法。
【請求項１３】
個人が辿るパターンに基づいて前記個人の識別情報を安全に認証するための通信デバイスであって、
前記個人に対して前記個人が辿るべき定義されたパターンを識別するように構成されているユーザインターフェースと、
前記ユーザインターフェースを介して、前記個人から、前記定義されたパターンを最初のポイントから最後のポイントへ連続的に辿ることによって生成されるトレースパターンを受け取るように構成されたトランシーバと、
前記定義されたパターンを連続的に辿る時に前記個人によって生成される動作ベースの挙動データの相互関係を決定して、
動作ベースの挙動データの相互関係を、前記定義されたパターンの以前のトレースを完成した時に前記個人によって生成される以前に取得された動作ベースの挙動データの相互関係と比較することによって前記個人の前記識別情報を認証するように構成された比較モジュールとを備える通信デバイス。
【請求項１４】
前記ユーザインターフェースが、前記個人に対して、前記個人が辿るべき前記定義されたパターンを表示するようにさらに構成されている請求項13に記載の通信デバイス。
【請求項１５】
前記個人が前記ユーザインターフェースを介して辿るべき前記定義されたパターンを含んでいる認証テンプレートを用いて、前記個人に、前記個人によって実行される複数の動作を伴う入力を促すように構成されている入力促進モジュールをさらに備える請求項13に記載の通信デバイス。
【請求項１６】
前記以前に取得された動作ベースの挙動データが、前記個人に関連した動作ベースの挙動データのデータベースに記憶される請求項13に記載の通信デバイス。
【請求項１７】
前記以前に取得された動作ベースの挙動データが、以前に前記個人が辿った、以前に辿られたパターンから取得される請求項13に記載の通信デバイス。
【請求項１８】
前記動作ベースの挙動データが、前記以前に取得された動作ベースの挙動データの閾値の範囲内にあるとき、前記個人の前記識別情報を認証するように構成された認証モジュールをさらに備える請求項16に記載の通信デバイス。
【請求項１９】
前記動作ベースの挙動データが前記以前に取得された動作ベースの挙動データの閾値の範囲を越えているとき、前記個人の前記識別情報の認証を拒否し、
前記動作ベースの挙動データが、前記以前に取得された動作ベースの挙動データと実質的に同一であるとき、前記個人の前記識別情報の認証を拒否するように構成された拒否モジュールをさらに備える請求項17に記載の通信デバイス。
【請求項２０】
前記以前に取得された動作ベースの挙動データが、前記個人の前記識別情報の以前の認証に関連した前記動作ベースの挙動データを含む請求項19に記載の通信デバイス。
【請求項２１】
前記動作ベースの挙動データが前記個人の前記識別情報の認証に関連しているとき、前記動作ベースの挙動データを、前記個人の前記識別情報の前記以前の認証に関連付けられるように前記動作ベースの挙動データのデータベースに記憶するように構成された記憶モジュールをさらに備える請求項20に記載の通信デバイス。
【請求項２２】
前記認証テンプレートが、前記個人が平面上で辿るための2次元パターンを含んでいる2次元テンプレートである請求項15に記載の通信デバイス。
【請求項２３】
前記個人が前記2次元パターンを辿るために実行する前記複数の動作が、前記2次元パターンの高さおよび幅に関連した前記動作ベースの挙動データを生成する請求項22に記載の通信デバイス。
【請求項２４】
前記動作ベースの挙動データが、前記個人が前記定義されたパターンを辿るための前記複数の動作を実行するとき生成される、前記個人に関連した生体測定の特性および挙動測定のデータに関連した生体データを含む、請求項23に記載の通信デバイス。